【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
ドナー発展型ノードＢ（ドナーｅＮＢ）（１００４）から中継ノード（１００６）への伝送（１０１０）と、前記中継ノード（１００６）から前記中継ノード（１００６）に接続する少なくとも１つの移動端末（１００８）への下りリンク伝送（１０１２）との間の干渉を回避又は軽減するための、無線通信システムの前記中継ノード（１００６）における方法であって、
前記中継ノードから前記少なくとも１つの移動端末への前記下りリンク伝送（１０１２）に少なくとも１つの中断を設けるステップと、
前記少なくとも１つの中断の間に、前記ドナーｅＮＢ（１００４）からの前記伝送（１０１０）を受信するステップと、
を含み、
前記下りリンク伝送（１０１２）と、前記ドナーｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられている、
ことを特徴とする方法。
【請求項２】
前記少なくとも１つの中断は、後方互換を可能にさせる対象の移動端末であるレガシー移動端末が知っている前記ＭＢＳＦＮサブフレーム・フォーマットを使用することによって設けられている、
ことを特徴とする請求項１に記載の方法。
【請求項３】
前記少なくとも１つの中断は、サブフレームの内容が、参照シンボル及び制御信号に制限されている前記ＭＢＳＦＮサブフレーム・フォーマットを使用することによって設けられ、
前記参照シンボル及び前記制御信号に割り当てられている前記サブフレームのＯＦＤＭシンボルの数は３シンボル未満である、
ことを特徴とする請求項１又は２に記載の方法。
【請求項４】
前記ドナーｅＮＢから前記中継ノードへの前記伝送におけるサブフレームは、前記下りリンクのサブフレームに対して１つ以上のＯＦＤＭシンボル期間だけ時間シフト（６０４）される、
ことを特徴とする請求項１から３のいずれか１項に記載の方法。
【請求項５】
前記時間シフトされるＯＦＤＭシンボル期間の数は、前記中継ノードのセル内のサブフレームに使用されている制御領域の期間（４０４）に基づき選択される、
ことを特徴とする請求項４に記載の方法。
【請求項６】
前記ドナーｅＮＢから前記中継ノードへの前記伝送における少なくとも１つのサブフレームの最終部（７０６）は未使用のまま伝送される、
ことを特徴とする請求項４又は５に記載の方法。
【請求項７】
前記未使用の部分の時間長（７０４）は、前記サブフレームの前記時間シフトされるＯＦＤＭシンボル期間の数に依存する、
ことを特徴とする請求項６に記載の方法。
【請求項８】
前記下りリンクの中断の数は、無線フレーム当たり複数の中断から、１未満の中断の間で変化させることができる、
ことを特徴とする請求項１から７のいずれか１項に記載の方法。
【請求項９】
前記中継ノードは、前記中断を設けるべき時点を決定し、
前記中継ノードは、前記下りリンク伝送に設ける中断の時間間隔を、関係する移動端末と、必要に応じて前記ドナーｅＮＢに通知する、
ことを特徴とする請求項１から８のいずれか１項に記載の方法。
【請求項１０】
前記中継ノードは、前記中断を設けるべき時点を前記ドナーｅＮＢから通知され、
前記中継ノードは、前記下りリンク伝送に設ける中断の時間間隔を、関係する移動端末に通知する、
ことを特徴とする請求項１から８のいずれか１項に記載の方法。
【請求項１１】
ドナー発展型ノードＢ（ドナーｅＮＢ）（９００、１００４）から中継ノード（８００、１００６）への伝送（８０８、１０１０）と、前記中継ノードから前記中継ノードに接続する少なくとも１つの移動端末（１００８）への下りリンク伝送（８０６、１０１２）との間の干渉を回避又は軽減する様に構成された、無線通信システムの前記中継ノードであって、
前記中継ノードから前記少なくとも１つの移動端末（１００８）への前記下りリンク伝送に少なくとも１つの中断を設ける様に構成された干渉回避部（８０２）と、
前記少なくとも１つの中断の間に、前記ドナーｅＮＢからの前記伝送（８０８、１０１０）を受信する様に構成された受信部（８０４）と、
を備えており、
前記下りリンク伝送（８０６、１０１２）と、前記ドナーｅＮＢからの前記伝送（８０８、１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられている、
ことを特徴とする中継ノード。
【請求項１２】
前記干渉回避部は、後方互換を可能にさせる対象の移動端末であるレガシー移動端末が知っている前記ＭＢＳＦＮサブフレーム・フォーマットを使用することによって、前記少なくとも１つの中断を設ける様に、更に、構成されている、
ことを特徴とする請求項１１に記載の中継ノード。
【請求項１３】
前記干渉回避部は、サブフレームの内容が、参照シンボル及び制御信号に制限されている前記ＭＢＳＦＮサブフレーム・フォーマットを使用することによって、前記少なくとも１つの中断を設ける様に、更に、構成され、
前記参照シンボル及び前記制御信号に割り当てられている前記サブフレームのＯＦＤＭシンボルの数は３シンボル未満である、
ことを特徴とする請求項１１又は１２に記載の中継ノード。
【請求項１４】
前記受信部は、前記下りリンクのサブフレームに対して１つ以上のＯＦＤＭシンボル期間だけ時間シフトされている、前記ドナーｅＮＢから前記中継ノードへの前記伝送におけるサブフレームを受信する様に、更に、構成されている、
ことを特徴とする請求項１１から１３のいずれか１項に記載の中継ノード。
【請求項１５】
前記受信部は、前記時間シフトされているＯＦＤＭシンボル期間の数が、前記中継ノードのセル内のサブフレームに使用されている制御領域の期間に基づき選択されているサブフレームを受信する様に、更に、構成されている、
ことを特徴とする請求項１４に記載の中継ノード。
【請求項１６】
前記受信部は、前記ドナーｅＮＢから前記中継ノードへの前記伝送における少なくとも１つのサブフレームの最終部が未使用のまま伝送されているサブフレームを受信する様に、更に、構成されている、
ことを特徴とする請求項１４又は１５に記載の中継ノード。
【請求項１７】
前記受信部は、前記未使用の部分の時間長が、前記サブフレームの前記時間シフトされているＯＦＤＭシンボル期間の数に依存しているサブフレームを受信する様に、更に、構成されている、
ことを特徴とする請求項１６に記載の中継ノード。
【請求項１８】
前記干渉回避部は、前記下りリンクの中断の数を、無線フレーム当たり複数の中断から、１未満の中断の間で変化させることができる様に、更に、構成されている、
ことを特徴とする請求項１１から１７のいずれか１項に記載の中継ノード。
【請求項１９】
前記中継ノードは、前記中断を設けるべき時点を決定する様に構成され、
前記中継ノードは、前記下りリンク伝送に設ける中断の時間間隔を、関係する移動端末と、必要に応じて前記ドナーｅＮＢに通知する様に、更に、構成されている、
ことを特徴とする請求項１１から１８のいずれか１項に記載の中継ノード。
【請求項２０】
前記中継ノードは、前記中断を設けるべき時点を前記ドナーｅＮＢから通知される様に構成され、
前記中継ノードは、前記下りリンク伝送に設ける中断の時間間隔を、関係する移動端末に通知する様に、更に、構成されている、
ことを特徴とする請求項１１から１８のいずれか１項に記載の中継ノード。
【請求項２１】
無線通信システムの請求項１１に記載の中継ノード（８００、１００６）に接続するドナー発展型ノードＢ（ドナーｅＮＢ）（９００、１００４）であって、
前記ドナーｅＮＢは、前記ドナーｅＮＢから前記中継ノードへの伝送（９０６、１０１０）と、前記中継ノードから前記中継ノードに接続する少なくとも１つの移動端末（１００８）への下りリンク伝送（８０６、１０１２）との間の干渉を回避又は軽減する様に構成されており、
前記中継ノード宛てのサブフレームを、前記中継ノードの下りリンクのサブフレームに対して、１つ以上のＯＦＤＭシンボル期間だけ時間シフト（６０４）させる様に構成されている時間シフト部（９０２）と、
前記中継ノードに前記時間シフトされたサブフレームと他のサブフレームを送信する様に構成されている送信部（９０４）と、
を備えており、
前記下りリンク伝送（８０６、１０１２）と、前記ドナーｅＮＢからの前記伝送（９０６、１０１０）は、重複した周波数帯域で行われ、
前記ドナーｅＮＢは、前記中継ノードの前記下りリンク伝送に設ける中断の時間間隔を、前記中継ノードから通知される様に構成されている、
ことを特徴とするドナーｅＮＢ。
【請求項２２】
前記時間シフト部は、前記時間シフトされるＯＦＤＭシンボル期間の数を、前記中継ノードのセル内のサブフレームに使用される制御領域の期間に基づき選択する様に、更に、構成されている、
ことを特徴とする請求項２１に記載のドナーｅＮＢ。
【請求項２３】
前記ドナーｅＮＢから前記中継ノードへの前記伝送における少なくとも１つのサブフレームの最終部を未使用のまま伝送する様に構成されている送信期間短縮部を、更に、備えている、
ことを特徴とする請求項２１又は２２に記載のドナーｅＮＢ。
【請求項２４】
前記送信期間短縮部は、前記未使用の部分の時間長を、前記サブフレームの前記時間シフトされるＯＦＤＭシンボル期間の数に依存させる様に、更に、構成されている、
ことを特徴とする請求項２３に記載のドナーｅＮＢ。
【請求項２５】
前記送信部は、前記中継ノードに送信するサブフレームの数を、無線フレーム当たり複数から、１未満の間で変化させることができる様に、更に、構成されている、
ことを特徴とする請求項２１から２４のいずれか１項に記載のドナーｅＮＢ。
【請求項２６】
前記中断は、マルチキャスト／ブロードキャスト単一周波数ネットワーク・サブフレーム・フォーマット（ＭＢＳＦＮサブフレーム・フォーマット）内にある、
ことを特徴とする請求項２１から２５のいずれか１項に記載のドナーｅＮＢ。
【請求項２７】
無線通信システムの干渉を回避又は軽減する様に構成されたシステムであって、
ドナー・セル（１００２）を制御する発展型ノードＢ（ｅＮＢ）（１００４）と、
中継ノード（１００６）と、
を備えており、
少なくとも１つの移動端末（１００８）が前記中継ノードに接続されている場合、
前記中継ノードは、  
前記移動端末への伝送（１０１２）に少なくとも１つの中断を設け、
前記少なくとも１つの中断の間、前記ドナー・セルを制御する前記ｅＮＢからの伝送（１０１０）を受信する、
様に構成されており、
前記移動端末への前記伝送（１０１２）と、前記ｅＮＢからの前記伝送（１０１０）は、重複した周波数帯域で行われ、
前記少なくとも１つの中断は、マルチキャスト／ブロードキャスト単一周波数ネットワーク・サブフレーム・フォーマット（ＭＢＳＦＮサブフレーム・フォーマット）を使用することによって設けられている、
ことを特徴とするシステム。